(57)【要約】【課題】工数やコストをかけずに有効な打音対策を行い得るようにする。【解決手段】インストルメントパネル１に取付けられたエアバッグリッド３と、車体側メンバ４に取付けられてエアバッグリッド３に対し相対移動可能とされたエアバッグモジュール５とを備えた車両用エアバッグ装置であって、エアバッグリッド３に、エアバッグモジュール５に対する接触時のエネルギーを吸収可能な毛状突起３１を一体形成するようにしている。【選択図】図１
2008049803.tif 000002
【特許請求の範囲】
【請求項１】
インストルメントパネルに取付けられたエアバッグリッドと、車体側メンバに取付けられてエアバッグリッドに対し相対移動可能とされたエアバッグモジュールとを備えた車両用エアバッグ装置において、
前記エアバッグリッドに、エアバッグモジュールに対する接触時のエネルギーを吸収可能な毛状突起を一体形成したことを特徴とする車両用エアバッグ装置。
【発明の詳細な説明】
【技術分野】
【０００１】
この発明は、車両用エアバッグ装置に関するものである。
【背景技術】
【０００２】
自動車などの車両には、図４に示すように、車室内の前部にインストルメントパネル１が設けられている。このインストルメントパネル１の助手席側の部分には、助手席用のエアバッグ装置２が設けられている（例えば、特許文献１参照）。
【０００３】
この助手席用のエアバッグ装置２は、図５に示すように、インストルメントパネル１に取付けられたエアバッグリッド３と、車体側メンバ４に取付けられてエアバッグリッド３に対し相対移動可能とされたエアバッグモジュール５とを備えている。
【０００４】
ここで、上記インストルメントパネル１には、単層構造のものと多層構造のものとが存在している（ここでは単層構造の例が示されている）。また、エアバッグリッド３は、インストルメントパネル１と一体型のものと、別体型のものとが存在している（ここでは別体型の例が示されている）。
【０００５】
そして、このエアバッグリッド３は、インストルメントパネル１に形成された開口部８に取付けられている。このエアバッグリッド３は、上記開口部８を閉塞可能な閉塞面部９と、この閉塞面部９の裏面側から突設された脚部１０とを備えている。そして、上記開口部８の周縁部には内方段差部１１が設けられ、この内方段差部１１に、上記閉塞面部９の周縁部１２が上方から当接・係止されている。内方段差部１１は、閉塞面部９の周縁部１２の肉厚とほぼ等しい段差量を有しており、当接・係止状態でインストルメントパネル１の表面と閉塞面部９の表面とがほぼ面一となるように構成されている。また、エアバッグリッド３には、閉塞面部９の周縁部１２や脚部１０などに特に図示しない爪部が設けられており、この爪部を、内方段差部１１の縁部や内方段差部１１などに形成された特に図示しない爪孔に係止させることにより、インストルメントパネル１にエアバッグリッド３が係止固定されるようになっている。
【０００６】
一方、エアバッグリッド３の内部には、車幅方向へ延びて左右の車体パネル間を連結する上記した車体側メンバ４などの強度部材が配設されている。この車体側メンバ４は、例えば、ステアリングコラムを支持するステアリングサポートメンバなどとして利用されている。そして、この車体側メンバ４に上記エアバッグモジュール５が固定されている。車体側メンバ４とエアバッグモジュール５との固定は、例えば、車体側メンバ４に取付けられたブラケット１５と、エアバッグモジュール５の底部や側部に取付けられたブラケット１６とを図示しないボルトなどの締結具で連結することなどにより行われる。ここで、エアバッグモジュール５は、図示しないエアバッグ本体を折り畳んで収納すると共に、このエアバッグ本体を展開・膨出させるため作動流体を発生する図示しないインフレータを備えたものである。なお、エアバッグモジュール５の内部では、インフレータはエアバッグ本体よりも下側に配置される。
【０００７】
そして、エアバッグモジュール５は、エアバッグリッド３の脚部１０に上部や側部を包囲された状態で配設される。脚部１０は、展開時にエアバッグ本体をガイドするガイド機能などを備えており、例えば、エアバッグモジュール５の周囲を所要の間隙２０を有して取囲む周壁状を呈している。そして、脚部１０には図示しない係止孔が設けられ、エアバッグモジュール５の側部には、図示しないフック部が上記係止孔と対応する位置に設けられており、係止孔にフック部を遊嵌させることにより、上記したようにエアバッグモジュール５はエアバッグリッド３に対して非接触状態で且つ相対移動可能に支持されている。なお、閉塞面部９の裏面における脚部１０の内側部分には、エアバッグ本体によって開裂されるドア部を画成する開裂溝３７が形成されている。
【特許文献１】特開２０００−２５５３６４号公報
【発明の開示】
【発明が解決しようとする課題】
【０００８】
しかしながら、上記車両用エアバッグ装置では、エアバッグモジュール５が、エアバッグリッド３に対して非接触状態で且つ相対移動可能に支持されているため、走行中の振動により、エアバッグモジュール５が振動し、エアバッグリッド３に接触して打音を発生するおそれがあった。そこで、この打音対策として、図６に示すように、エアバッグモジュール５の側面にスポンジ材などのエネルギー吸収材２２を貼付けることが行われているが、エネルギー吸収材２２の貼付けには工数やコストがかかるという問題があった。
【課題を解決するための手段】
【０００９】
上記課題を解決するために、請求項１に記載された発明では、インストルメントパネル１に取付けられたエアバッグリッドと、車体側メンバに取付けられてエアバッグリッドに対し相対移動可能とされたエアバッグモジュールとを備えた車両用エアバッグ装置において、前記エアバッグリッドに、エアバッグモジュールに対する接触時のエネルギーを吸収可能な毛状突起を一体形成した車両用エアバッグ装置を特徴としている。
【発明の効果】
【００１０】
請求項１の発明によれば、エアバッグリッドに、毛状突起を一体形成したことにより、毛状突起が、エアバッグモジュールに対する接触時のエネルギーを吸収するので、エネルギー吸収材を貼付ける工数やコストを無くすと共に、有効な打音対策を得ることができる。
【発明を実施するための最良の形態】
【００１１】
工数やコストをかけずに有効な打音対策を行い得るようにするという目的を、エアバッグリッドに、エアバッグモジュールに対する接触時のエネルギーを吸収可能な毛状突起を一体形成する、という手段で実現した。
【実施例】
【００１２】
以下、本発明を具体化した実施例について、図示例と共に説明する。
【００１３】
図１〜図３は、この発明の実施例を示すものである。
【００１４】
まず、構成を説明すると、自動車などの車両における、車室内の前部にはインストルメントパネル１が設けられている。このインストルメントパネル１の助手席側の部分に、助手席用のエアバッグ装置２を設ける。
【００１５】
この助手席用のエアバッグ装置２は、インストルメントパネル１に取付けられたエアバッグリッド３と、車体側メンバ４に取付けられてエアバッグリッド３に対し相対移動可能とされたエアバッグモジュール５とを備えている。
【００１６】
ここで、上記インストルメントパネル１には、単層構造のものと多層構造のものとが存在している（ここでは単層構造の例が示されているが、多層構造であっても良い）。また、エアバッグリッド３は、インストルメントパネル１と一体型のものと、別体型のものとが存在している（ここでは別体型の例が示されているが、一体型であっても良い）。なお、エアバッグリッド３は、エラストマー材等の弾性を有する、弾性材から形成されている。
【００１７】
そして、このエアバッグリッド３は、インストルメントパネル１に形成された開口部８に取付けられている。このエアバッグリッド３は、上記開口部８を閉塞可能な閉塞面部９と、この閉塞面部９の裏面側から突設された脚部１０とを備えている。そして、上記開口部８の周縁部には内方段差部１１が設けられ、この内方段差部１１に、上記閉塞面部９の周縁部１２が上方から当接・係止されている。内方段差部１１は、閉塞面部９の周縁部１２の肉厚とほぼ等しい段差量を有しており、当接・係止状態でインストルメントパネル１の表面と閉塞面部９の表面とがほぼ面一となるように構成されている。また、エアバッグリッド３には、閉塞面部９の周縁部１２や脚部１０などに特に図示しない爪部が設けられており、この爪部を、内方段差部１１の縁部や内方段差部１１などに形成された特に図示しない爪孔に係止させることにより、インストルメントパネル１にエアバッグリッド３が係止固定されるようになっている。なお、エアバッグリッド３は、振動溶着等による溶着にてインストルメントパネル１に固定しても良い。
【００１８】
一方、エアバッグリッド３の内部には、車幅方向へ延びて左右の車体パネル間を連結する上記した車体側メンバ４などの強度部材が配設されている。この車体側メンバ４は、例えば、ステアリングコラムを支持するステアリングサポートメンバなどとして利用されている。そして、この車体側メンバ４に上記エアバッグモジュール５が固定されている。車体側メンバ４とエアバッグモジュール５との固定は、例えば、車体側メンバ４に取付けられたブラケット１５と、エアバッグモジュール５の底部や側部に取付けられたブラケット１６とを図示しないボルトなどの締結具で連結することなどにより行われる。ここで、エアバッグモジュール５は、図示しないエアバッグ本体を折り畳んで収納すると共に、このエアバッグ本体を展開・膨出させるため作動流体を発生する図示しないインフレータを備えたものである。なお、エアバッグモジュール５の内部では、インフレータはエアバッグ本体よりも下側に配置される。
【００１９】
そして、エアバッグモジュール５は、エアバッグリッド３の脚部１０に上部や側部を包囲された状態で配設される。脚部１０は、展開時にエアバッグ本体をガイドするガイド機能などを備えており、例えば、エアバッグモジュール５の周囲を所要の間隙２０を有して取囲む周壁状を呈している。そして、脚部１０には図示しない係止孔３０（図３参照）が設けられ、エアバッグモジュール５の側部には、図示しないフック部が上記係止孔３０と対応する位置に設けられており、係止孔３０にフック部を遊嵌させることにより、上記したようにエアバッグモジュール５はエアバッグリッド３に対して非接触状態で且つ相対移動可能に支持されている。なお、閉塞面部９の裏面における脚部１０の内側部分には、エアバッグ本体によって開裂されるドア部を画成する開裂溝３７が形成されている。
【００２０】
以上のような基本的構成に対し、この実施例のものでは、エアバッグリッド３に、エアバッグモジュール５に対する接触時のエネルギーを吸収可能な毛状突起３１を一体形成する。この毛状突起３１は、脚部１０の内面部分で、且つ、少なくともエアバッグモジュール５の側面と対向する位置に設けられる。この毛状突起３１は、ブラシ状に設けられた複数の毛状体からなり、各毛状体はエアバッグモジュール５の側面とほぼ面直に設けるのが好ましい。
【００２１】
ここで、エアバッグリッド３は、図２に示すようなキャビティ型３３とコア型３２とを備えた成形金型装置３４を用いて成形される。図２の成形金型装置３４では、キャビティ型３３とコア型３２とは図中上下方向へ開閉されることとなる。このような成形金型装置３４を用いて上記毛状突起３１をエアバッグリッド３と一体成形し得るようにする。そのために、コア型３２における毛状突起３１を成形する部分に、毛状突起３１の延設方向（図２中左右方向）へ型抜可能なスライド型３５を設ける。このスライド型３５は、図示しないシリンダ装置で駆動される楔状部材３６によって移動される。なお、図２のエアバッグリッド３は、図面の都合上、図１のエアバッグリッド３とは多少形状が異なっている。
【００２２】
次に、この実施例の作用について説明する。
【００２３】
エアバッグ装置２は、車体に規定値以上の衝撃荷重が作用した場合に、インフレータからの作動流体によってエアバッグモジュール５に折畳んで収容されたエアバッグ本体が展開され、展開されたエアバッグ本体は、脚部１０にガイドされて閉塞面部９裏面の脚部１０の内側部分を押圧し、開裂溝３７を開裂してドア部を開成し、車室内乗員側へ膨出されて乗員を保護するように機能する。
【００２４】
エアバッグ装置２の非作動時においては、エアバッグモジュール５が、エアバッグリッド３に対して非接触状態で且つ相対移動可能に支持されているため、走行中の振動により、エアバッグモジュール５が振動し、エアバッグリッド３に接触して、打音を発生するおそれがある。
【００２５】
これに対し、この実施例によれば、エラストマー材等の弾性を有する弾性材から形成されているエアバッグリッド３に毛状突起３１を一体形成したことにより、毛状突起３１が、エアバッグモジュール５に対する接触時のエネルギーを吸収するので、エアバッグモジュール５の側部にエネルギー吸収材２２を貼付ける工数やコストを無くすと共に、有効な打音対策を得ることができる。
【００２６】
この毛状突起３１は、図２、図３に示すようなスライド型を用いることにより、容易に一体成形することができる。また、毛状突起３１部が多少のアンダーカット形状となっても、エラストマー等の弾性部材で形成されているため、エアバッグリッド３の脱型時には、無理抜きで対応することができる。
【００２７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００２８】
【図１】本発明の実施例にかかるエアバッグ装置の側方断面図である。
【図２】図１のエアバッグリッドを成形する成形金型装置の側方断面図である。
【図３】図２の部分拡大図である。
【図４】従来例の説明に用いたインストルメントパネルの斜視図である。
【図５】図４に設けられるエアバッグ装置の側方断面図である。
【図６】スポンジ材などのエネルギー吸収材を貼付けた従来のエアバッグモジュールを示す図５と同様の側方断面図である。
【符号の説明】
【００２９】
１    インストルメントパネル
３    エアバッグリッド
４    車体側メンバ
５    エアバッグモジュール
３１  毛状突起
【図１】
2008049803.tif 000003
【図２】
2008049803.tif 000004
【図３】
2008049803.tif 000005
【図４】
2008049803.tif 000006
【図５】
2008049803.tif 000007
【図６】
2008049803.tif 000008